(57)【特許請求の範囲】
【請求項１】
上皿及び下皿を前面枠に備え、
該前面枠の裏面側に遊技盤を収納する遊技盤収納部材を備えると共に、該遊技盤収納部材の裏面側に、
所要数の球を排出可能な排出装置と、
前記排出装置から排出された球を受け入れて流下させる流下装置と、
前記流下装置により流下されてきた球を前記下皿に誘導するための誘導路を有する賞球ボックスと、
前記排出装置を制御する排出制御装置と、
遊技に関する制御を統括的に行う遊技制御装置と、を備える遊技機において、
導電性を有する部材によって前記遊技盤収納部材を構成し、
前記排出制御装置の前方に前記流下装置を配置する一方で、前記排出制御装置の側方に前記遊技制御装置を配置すると共に、前記遊技制御装置の斜め前方に前記賞球ボックスを配置し、
前記遊技制御装置と前記排出制御装置の前面側には、各々の前面を覆う導電性のプレート部材をそれぞれ配置すると共に、各々の該プレート部材の前面に配線処理用の配線処理部材を配置し、前記プレート部材の各々は、導線を介して前記遊技盤収納部材と相互に接続し、
前記遊技盤収納部材に対する前記導線の各接続ポイントを前記遊技盤収納部材の左右両側に分けて構成し、
前記プレート部材と前記遊技盤収納部材とを相互に接続する各導線には、前記プレート部材から前記遊技盤収納部材に向かう一方向に、電荷の流れる方向を規制する不可逆性伝達手段が設けられていることを特徴とする遊技機。
【請求項２】
前記遊技制御装置の前面側に配置されるプレート部材は、
前記遊技制御装置の前面ほぼ全域を覆うプレート本体と、
該プレート本体の縁部より延出して前記賞球ボックスの背部にまで至る延出壁部と、を備え、
前記排出制御装置の前面側に配置されるプレート部材は、
前記排出制御装置の前面ほぼ全域を覆うプレート本体と、
該プレート本体の縁部より前方に延出して前記流下装置の前記遊技制御装置側の壁面を覆う起立壁部と、を備え、
さらに、前記排出装置及び前記流下装置は、球の流路となる壁面の少なくとも一部を構成し導電性を有する導電性壁部材をそれぞれ備え、
各導電性壁部材は互いに当接し、該当接部分と前記遊技盤収納部材とが導線を介して相互に接続され、この導線が、前記プレート部材の各々と前記遊技盤収納部材とを相互に接続する導線の何れかと同じ接続ポイントで、前記遊技盤収納部材と、接続されていることを特徴とする請求項１記載の遊技機。
【発明の詳細な説明】
【０００１】
【発明の属する技術分野】
本発明は、遊技盤を収納する遊技盤収納部材を備えると共に、該遊技盤収納部材の裏面側に、制御装置等を備える遊技機に関する。
【０００２】
【従来の技術】
一般に、パチンコ遊技機等の遊技機には、遊技盤を収納する遊技盤収納部材が設けられ、該遊技盤収納部材の背部には、球貯留部や球流路を構成する各種装置（例えば、貯留タンク、導出樋、球抜き装置、排出装置、流下装置等）を取付ベース部材に組み付けてなる裏機構盤が配置されている。
近年、この種の遊技機には、機能別に分けられた複数の制御装置が裏機構盤の裏面側全域に亘って設けられる傾向にある。
【０００３】
【発明が解決しようとする課題】
しかしながら、上記従来の遊技機では、球流路や該球流路を流れる球に静電気が帯電することがあり、その静電気を球流路にて放電することができなかったので、球流路や該球流路を流れる球に静電気が蓄積された状態となることがあった。そして、そのような静電気の影響を受けて各制御装置が誤作動を起こす可能性があった。
【０００４】
本発明は、上記実状に鑑みなされたもので、静電気等のノイズが原因で制御装置に誤作動が生じることを防止可能な遊技機を提供することを目的とする。
【０００５】
【課題を解決するための手段】
上記課題を解決するため、請求項１記載の発明は、
上皿及び下皿を前面枠に備え、
該前面枠の裏面側に遊技盤を収納する遊技盤収納部材を備えると共に、該遊技盤収納部材の裏面側に、
所要数の球を排出可能な排出装置と、
前記排出装置から排出された球を受け入れて流下させる流下装置と、
前記流下装置により流下されてきた球を前記下皿に誘導するための誘導路を有する賞球ボックスと、
前記排出装置を制御する排出制御装置と、
遊技に関する制御を統括的に行う遊技制御装置と、を備える遊技機において、
導電性を有する部材によって前記遊技盤収納部材を構成し、
前記排出制御装置の前方に前記流下装置を配置する一方で、前記排出制御装置の側方に前記遊技制御装置を配置すると共に、前記遊技制御装置の斜め前方に前記賞球ボックスを配置し、
前記遊技制御装置と前記排出制御装置の前面側には、各々の前面を覆う導電性のプレート部材をそれぞれ配置すると共に、各々の該プレート部材の前面に配線処理用の配線処理部材を配置し、前記プレート部材の各々は、導線を介して前記遊技盤収納部材と相互に接続し、
前記遊技盤収納部材に対する前記導線の各接続ポイントを前記遊技盤収納部材の左右両側に分けて構成し、
前記プレート部材と前記遊技盤収納部材とを相互に接続する各導線には、前記プレート部材から前記遊技盤収納部材に向かう一方向に、電荷の流れる方向を規制する不可逆性伝達手段が設けられている構成とした。
【０００６】
この請求項１記載の発明によれば、遊技制御装置と排出制御装置の前面側には、各々の前面を覆う導電性のプレート部材がそれぞれ配置されているので、遊技制御装置や排出制御装置にノイズの影響が及び難くなる。
また、プレート部材の各々が、導線を介して、導電性を有する遊技盤収納部材と相互に接続されているので、プレート部材に帯電した静電気を、遊技盤収納部材を介して放電することが可能となる。即ち、上記静電気の放電面積（静電気を放電可能な部位の表面積）が増加することとなって、上記静電気を放電し易くなる。従って、静電気や電磁波等のノイズが原因で遊技及び排出制御装置に誤作動が生じることを防止できる。また、遊技盤収納部材に対する各導線の接続ポイントが、遊技盤収納部材の左右両側に分かれているので、遊技盤収納部材内で電荷の偏りが生じ難くなり、遊技盤収納部材の静電気を効率良く放電することができる。
さらに、プレート部材と遊技盤収納部材とを相互に接続する導線に不可逆性伝達手段を設けたので、導線を流れる電荷の向きを一方向に規制することができる。従って、導線を経由して遊技盤収納部材からプレート部材に静電気が伝搬されることを防止できる。
請求項２記載の発明は、請求項１記載の遊技機において、
前記遊技制御装置の前面側に配置されるプレート部材は、
前記遊技制御装置の前面ほぼ全域を覆うプレート本体と、
該プレート本体の縁部より延出して前記賞球ボックスの背部にまで至る延出壁部と、を備え、
前記排出制御装置の前面側に配置されるプレート部材は、
前記排出制御装置の前面ほぼ全域を覆うプレート本体と、
該プレート本体の縁部より前方に延出して前記流下装置の前記遊技制御装置側の壁面を覆う起立壁部と、を備え、
さらに、前記排出装置及び前記流下装置は、球の流路となる壁面の少なくとも一部を構成し導電性を有する導電性壁部材をそれぞれ備え、
各導電性壁部材は互いに当接し、該当接部分と前記遊技盤収納部材とが導線を介して相互に接続され、この導線が、前記プレート部材の各々と前記遊技盤収納部材とを相互に接続する導線の何れかと同じ接続ポイントで、前記遊技盤収納部材と、接続されている構成とした。
【０００９】
この請求項２記載の発明によれば、排出装置と流下装置の各々に備わる球流路の壁面の少なくとも一部が、それぞれ導電性を有する導電性壁部材によって構成され、それら導電性壁部材が導線を介して遊技盤収納部材と相互に接続されているので、排出装置と流下装置の球流路や該球流路を流れる球に帯電した静電気を、各導電性壁部材や遊技盤収納部材を介して放電することが可能となる。従って、上記静電気が原因で、排出装置や流下装置の近傍に配置される各制御装置等に誤作動が生じることを防止できる。また、各導電性壁部材の当接部分と遊技盤収納部材とを相互に接続する導線を、プレート部材の各々と遊技盤収納部材とを相互に接続する導線の何れかと同じ接続ポイントで、遊技盤収納部材と接続するようにしたので、各導線と遊技盤収納部材との接続が容易となる。
【００１１】
また、遊技制御装置の前面ほぼ全域をプレート部材のプレート本体によって覆うようにしたので、遊技制御装置にノイズの影響が及び難くなる。加えて、プレート部材には、プレート本体の縁部より延出して賞球ボックスの背部にまで至る延出壁部が設けられているので、遊技制御装置の斜め前方に賞球ボックスが配置されていても、延出壁部によって、賞球ボックスから発生するノイズが遊技制御装置に対して遮断されることとなる。従って、賞球ボックス等で発生するノイズの影響で遊技制御装置に誤作動が生じることを極力防止できる。
【００１３】
また、排出制御装置の前面ほぼ全域をプレート部材のプレート本体によって覆うようにしたので、排出制御装置にノイズの影響が及び難くなる。加えて、プレート部材には、流下装置遊技制御装置側の壁面を覆う起立壁部が設けられているので、例えば、流下装置の近傍に遊技制御装置が配置されていても、起立壁部によって、流下装置から発生するノイズが遊技制御装置に対して遮断されることとなる。従って、流下装置から発生するノイズの影響で排出制御装置や遊技制御装置に誤作動が生じることを極力防止できる。
【００１４】
ここで、遊技機としては、球を遊技媒体とする弾球遊技機、例えば、パチンコ遊技機、アレンジボール遊技機、或いは雀球遊技機などが挙げられる。
プレート部材や遊技盤収納部材や導電性壁部材の材質としては、例えば、金属や電気伝導性を有する導電性樹脂（電気伝導性樹脂）などが挙げられる。
【００２２】
【発明の実施の形態】
以下、この発明の実施の形態について、図１〜図９の図面を参照しながら説明する。
図１は、本発明に係る遊技機の一形態として例示するパチンコ遊技機を示す正面図である。
【００２３】
この実施の形態のパチンコ遊技機１００は、内部の遊技領域１ａ内に球を発射して遊技を行うもので、本体枠１１０と、該本体枠１１０の一側方に回動可能に軸支された額縁状の前面枠１１１とを備えている。この前面枠１１１の前側上半部には、ガラス収納枠１０２と上皿ユニット１０３とが上下に並んだ状態で、それぞれ左端を軸心として回動可能に取り付けられている。
【００２４】
ガラス収納枠１０２には、透明なガラス板１０１が保持されていて、このガラス板１０１の奥側には、遊技領域１ａを構成する遊技盤１が設置されている。
この遊技盤１のガイドレール２で囲まれた遊技領域１ａには、普図始動ゲート６，６、特別図柄（特図）表示装置４、普通図柄（普図）表示装置７、特図始動口を兼ねた普通変動入賞装置９、特図変動表示遊技の結果如何によって大入賞口を閉じた状態から開放状態に変換するサイクル遊技を行う特別変動入賞装置５、一般入賞口８，…、サイドランプ１２，１２、風車と呼ばれる打球方向変換部材１４，１４、多数の障害釘（図示省略）などが配設されている。遊技領域１ａの最下端部中央にはアウト球を回収するためのアウト穴１３が設けられている。
【００２５】
一方、上皿ユニット１０３には、排出装置５０（図２）より排出された球（賞球、貸球）を受け入れて貯留可能な上皿１０５、該上皿１０５から送られてくる球を１個ずつ分離して発射レール（図示省略）上に供給する球送りユニット（図示省略）などが設けられている。上皿１０５の上縁部には、球貸しを要求するための貸球スイッチ１０８ｂ、カードユニット２００のカード挿入口２０１に挿入されたプリペイドカードの返却を要求するためのカード返却スイッチ１０８ｃ、カード挿入口２０１に挿入されたプリペイドカードの残り度数を表示する残り度数表示器１０８ａ、上皿１０５の球を抜き取って下皿１０７に流下させるための球抜き操作レバー１０８ｄ等が配設されている。
この上皿ユニット１０３の下方位置には、上皿１０５に収容しきれない球を収容する下皿１０７や、遊技領域１ａに向けて球の発射操作を行うための操作ハンドル１０４などが設置されている。
【００２６】
図２はパチンコ遊技機の背面図、図３はパチンコ遊技機に備わる前面枠、遊技盤収納フレーム及び裏機構盤を示す分解斜視図である。
【００２７】
本体枠１１０には、中央に開口部１１１Ａを有する前面枠１１１が開閉可能な状態で設置され、この前面枠１１１の裏面側には、図３に示すように、遊技盤１を収納する遊技盤収納フレーム１３０（遊技盤収納部材）が取り付けられている。
【００２８】
遊技盤収納フレーム１３０は、遊技盤１を収納する凹室部１３５が後方に膨出する状態で設けられたフレーム本体１３１と、凹室部１３５に収納された遊技盤１をフレーム本体１３１の側方から係止する複数の遊技盤係止部材１３２，…とを備えて構成されている。
【００２９】
フレーム本体１３１は金属により形成され、前面枠１１１の裏面側にビスによって止着されている。このフレーム本体１３１の凹室部１３５内には、遊技領域１ａ側を前にして遊技盤１が固定状態で設置され、この凹室部１３５の奥壁面１３４には、遊技盤１の裏面中央部を後方に臨ませる開口部１３４ａが設けられている。このフレーム本体１３１の上部には、図２に示すように、ターミナル基板８５を経由して島設備側のグランドより延びる導線（アース線）９０が接続され、これによって、遊技盤収納フレーム１３０が島設備側のグランドに接地された状態となっている。また、フレーム本体１３１の一側（前面枠１１１の自由端側）には、後述の導出樋４１の樋本体４１ａより延びる導線（アース線）９５と、後述の遊技制御装置２０の前面側に配置されるプレート部材２１より延びる導線（アース線）９２がそれぞれ接続されている。
【００３０】
遊技盤係止部材１３２は、フレーム本体１３１の両側部にそれぞれ２個ずつ設けられている。各遊技盤係止部材１３２は、何れも金属により形成され、ビスによってフレーム本体１３１に取り付けられている。
これら遊技盤係止部材１３２，…の中で、前面枠１１１の回動軸側の下部に配置される遊技盤係止部材１３２Ａには、図３及び図９に示すように、該遊技盤係止部材１３２Ａをフレーム本体１３１に取り付けるビス１３３によって、後述の排出装置５０のケーシング５２ａと流下装置６０の蓋部材６２との接続部分より延びる導線９４（アース線）と、後述の排出制御装置３０の前面側に配置されるプレート部材３１より延びる導線９１（アース線）とが一緒にまとめて止着されている。
このように、遊技制御装置２０（第１制御装置）の前面側に配置されるプレート部材２１から延びる導線９２と、排出制御装置３０（第２制御装置）の前面側に配置されるプレート部材３１から延びる導線９１とで、遊技盤収納フレーム１３０に対する接続ポイントが異なり、それら接続ポイントが遊技盤収納フレーム１３０の左右両側（前面枠１１１の回動軸側と自由端側）に分かれている。また、排出装置５０のケーシング５２ａ（導電性壁部材）と流下装置６０の蓋部材６２（導電性壁部材）との接続部分より延びる導線９４が、排出制御装置３０に対応するプレート部材３１から延びる導線９１と同じ接続ポイントで、遊技盤収納フレーム１３０に接続されている。
【００３１】
この遊技盤収納フレーム１３０に収納される遊技盤１の裏面側には、図２に示すように、各入賞口（例えば、普通変動入賞装置９、一般入賞口８など）に入賞した入賞球を集合させて入賞球排出路（図示省略）に流下案内するための球寄せ部材１ｂが取り付けられている。この球寄せ部材１ｂの背部には、遊技制御装置２０の制御下で特別図柄表示装置４の表示制御を行う表示制御装置８１が配設され、この表示制御装置８１の背部には、遊技制御装置２０の制御下で各種ランプ・ＬＥＤの点灯・点滅状態を制御する装飾制御装置８２、遊技制御装置２０の制御下でスピーカ（図示省略）等の出力を制御する音制御装置８３などが配設されている。これら表示制御装置８１、装飾制御装置８２、音制御装置８３は、フレーム本体１３１の後側開口部１３４ａ（図３）と、後述の取付ベース部材１２１の開口部１２２（図２）を介して後方に突出する状態で設置され、各々の背部が、図３に示すように、カバー部材１１６によって覆われた状態となっている。
【００３２】
この遊技盤１の下方には、該遊技盤１を支持するフレームボード（図示省略）が配置されている。このフレームボードは、開口部１１１Ａ（図３）を介して前方を臨む状態で前面枠１１１の裏面側に取り付けられている。このフレームボードの前面側には、遊技領域１ａに向けて球を発射するための発射レールが設置される一方、フレームボードの内部には、図７に示すように、こぼれ球を回収して下皿１０７に流下させるこぼれ球回収路１３９ｂ、ファール球を回収して下皿１０７に流下させるファール球回収路１３９ａ、球抜き操作レバー１０８ｄによる球抜き操作によって上皿１０５から抜き取られた球を下皿１０７に流下させる下皿案内路１３９ｃ等が設けられている。
【００３３】
裏機構盤１２０は、図３に示すように、遊技盤収納フレーム１３０の背部に取り付けられている。この裏機構盤１２０は、中央に開口部１２２を有する矩形板状の取付ベース部材１２１を有し、この取付ベース部材１２１の前面側には、球寄せ部材１ｂにより集合された入賞球を賞球ボックス７０（後述）へと流下案内する入賞球排出路（図示省略）、アウト穴１３に流入したアウト球を賞球ボックス７０へと流下案内するアウト球排出路（図示省略）、後述の球抜き装置４２により球抜きされた球を賞球ボックス７０へと流下案内する抜き球排出路（図示省略）等が形成されている。
【００３４】
一方、取付ベース部材１２１の裏面側には、図２及び図３に示すように、予備球を貯留するための貯留タンク４０、該貯留タンク４０からの予備球を整列させながら流下案内する導出樋４１、該導出樋４１により流下案内される球の球抜きや排出装置５０への流下案内を行う球抜き装置４２、該球抜き装置４２を介して流下案内された球を所定条件の成立（例えば、普通変動入賞装置９、一般入賞口８、特別変動入賞装置５等の入賞口に球が入賞したこと、或いは貸球スイッチ１０８ｂが押されたこと）に基づいて所要数排出する排出装置５０、該排出装置５０より排出された球を上皿１０５又は下皿１０７へと流下案内する流下装置６０等が配設される他、遊技に関する制御を統括的に行う遊技制御装置（第１制御装置）２０、該遊技制御装置２０からの指令に基づいて球の排出制御等を行う排出制御装置３０（第２制御装置）、各制御装置に対して電源を供給する電源装置８０、発射装置８９を制御する発射制御装置８４、電源コード８５ａを有し電源用の中継基板として機能するターミナル基板８５、外部出力端子を有する枠用外部出力端子板８６、カードユニット用中継基板８７等が配設されている。
【００３５】
貯留タンク４０は、図３に示すように、上面開放タイプの箱状容器であって、取付ベース部材１２１の裏面側上部に設けられている。この貯留タンク４０は、島設備の補給装置（図示省略）より供給される球を上側の開口部４０ａより受け入れて貯留すると共に、該貯留球を底面の放出口（図示省略）より放出して導出樋４１に供給するようになっている。
【００３６】
導出樋４１は、導電性樹脂によって成形された樋本体４１ａを備え、この樋本体４１ａには、貯留タンク４０から放出される球を受け入れて該球を整列させながら球抜き装置４２に流下案内する球流路（図示省略）が設けられている。この樋本体４１ａには、図２に示すように、遊技盤収納フレーム１３０から延びる導線９５の一端が接続され、これによって、樋本体４１ａと遊技盤収納フレーム１３０とが相互に電気伝導可能な状態となっている。
【００３７】
球抜き装置４２は、導電性樹脂によって成形されたケーシング４２ａを備え、このケーシング４２ａの内部には、導出樋４１から送られてきた球を排出装置５０へと流下案内する球流路（図示省略）と、この球流路から球を抜き取って取付ベース部材１２１前面側の抜き球排出路に流下案内する球抜き路（図示省略）とが設けられている。ケーシング４２ａは、図３に示すように、導出樋４１の樋本体４１ａと当接し、これによって、ケーシング４２ａと樋本体４１ａとが相互に電気伝導可能な状態となっている。
【００３８】
排出装置５０は、互いに分離可能に構成された流下規制部５１と流路切替部５２とを備えていて、取付ベース部材１２１の裏面側に着脱自在な状態で取り付けられている。
流下規制部５１は、排出制御装置３０から出力される指令に従い、球抜き装置４２から送られてくる球の流下規制を行い、該流下規制によって、所要数の球を流路切替部５２に排出可能となっている。この流下規制部５１はケーシング５１ａを備え、このケーシング５１ａの内部には、球抜き装置４２から送られてきた球を２列状態のまま流路切替部５２に流下案内する２条の球流路（図示省略）が設けられている。ケーシング５１ａは、導電性樹脂によって成形された内側ケース部材と、該内側ケース部材を間に挟む状態で内側ケース部材の両側方を覆う一対の透明な外側ケース部材とを備えている。内側ケース部材は、球抜き装置４２のケーシング４２ａと当接し、これによって、内側ケース部材と球抜き装置４２のケーシング４２ａとが相互に電気伝導可能な状態となっている。
流路切替部５２は、導電性樹脂によって成形されたケーシング５２ａ（導電性壁部材）を備え、このケーシング５２ａの内部には、途中で貸球用流路と賞球用流路とに分岐して再び合流する球流路（図示省略）が形成され、この球流路の分岐部分には、流下規制部５１から送られてくる球の進路を貸球用流路と賞球用流路の何れかに切替可能な切替弁（図示省略）が設けられている。このケーシング５２ａには、前述した流下規制部５１の内側ケース部材より延びる導線がビス等で止着され、これによって、流路切替部５２のケーシング５２ａと流下規制部５１の内側ケース部材とが相互に電気伝導可能な状態となっている。また、ケーシング５２ａの下端部には、下方に延出する延出片部（図示省略）が設けられている。
【００３９】
流下装置６０は、図４に示すように、それぞれ導電性樹脂によって成形された樋基板６１と蓋部材６２（導電性壁部材）とを相互に接合してなり、取付ベース部材１２１の裏面側に着脱自在な状態で取り付けられている。樋基板６１の裏面側には、互いに対向する案内壁６１ａ，…によって溝部６１ｂが形成され、この溝部６１ｂの開口側を蓋部材６２で覆うことによって、排出装置５０から送られてきた球を受け入れて取付ベース部材１２１の上皿放出路１２３に流下案内する上皿案内路６４（図６）と、上皿１０５に収容しきれずにオーバーフローした球を賞球ボックス７０の誘導路７１に流下案内するオーバーフロー流路６５（図６）とがそれぞれ形成されるようになっている。また、流下装置６０の内部には、図６に示すように、オーバーフロー流路６５における球の滞留状態（オーバーフロー状態）を検出するオーバーフロー状態検出装置６６が、オーバーフロー流路６５に臨む状態で設置されている。
また、蓋部材６２の上部には、上方に延出する延出片部（図示省略）が設けられ、この延出片部と前述した排出装置５０の延出片部とが当接状態で相互に接続されている。そして、それら延出片部の接続部分には、遊技盤収納フレーム１３０から延びる導線９４の一端が接続され、これによって、蓋部材６２、ケーシング５２ａ及び遊技盤収納フレーム１３０の各々が相互に電気伝導可能な状態となっている。
【００４０】
排出制御装置３０（第２制御装置）は、図４に示すように、流下装置６０の後方に配置されている。この排出制御装置３０と流下装置６０との間には、配線処理用の配線処理部材６３と電磁遮蔽用のプレート部材３１が前後に重なり合う状態で配置されている。
配線処理部材６３は後方から見て蓋部材６２とほぼ同一形状をなし、その前後両面には起立壁６３ａ，…が突設されている。即ち、配線処理部材６３の前面側に蓋部材６２を取り付け、配線処理部材６３の裏面側にプレート部材３１を取り付けたときに、それら起立壁６３ａ，…によって、配線処理部材６３の前面側と裏面側の各々に配線挿通空間が形成されるようになっている。この配線挿通空間には、例えば、ターミナル基板８５からカードユニット用中継基板８７に延びる電源線８５ｂや、遊技制御装置２０から排出装置５０後方の中継基板８８（図２）に延びる信号線８８ａ，…などが挿通されている。また、配線処理部材６３の縁部には、その近傍を通る配線を束ねて係止する配線係止部（図示省略）が設けられている。
【００４１】
プレート部材３１は金属により形成され、図４及び図６に示すように、排出制御装置３０の前面ほぼ全域を覆う矩形板状のプレート本体３２と、該プレート本体３２の縁部より前方に延出して流下装置６０の遊技制御装置２０側の壁面を覆う起立壁部３３と、を備えて構成されている。つまり、プレート部材３１のプレート本体３２が排出制御装置３０の前面を覆うことで、流下装置６０より発生するノイズに対して排出制御装置３０が電磁遮蔽され、一方、プレート部材３１の起立壁部３３が流下装置６０の遊技制御装置２０側の壁面を覆うことで、流下装置６０より発生するノイズに対して遊技制御装置２０が電磁遮蔽されるようになっている。
従って、例えば、図６に示すように、遊技制御装置２０の試験用の接続端子２０ａが流下装置６０の近傍に設けられている場合であっても、流下装置６０から発生するノイズの影響で試験結果に狂い等が生じる心配がない。つまり、試験結果に対する信頼性を高めることができる。
起立壁部３３には、図８に示すように、前述した配線挿通空間を経由して配線される電源線８５ｂや信号線８８ａ，…等を通すための切欠部３３ａ，３３ａが設けられている。
また、プレート本体３２の縁部には、図２に示すように、遊技盤収納フレーム１３０より延びる導線９１の一端が接続され、これにより、プレート部材３１と遊技盤収納フレーム１３０とが相互に電気伝導可能な状態となっている。
【００４２】
遊技制御装置２０（第１制御装置）は、図５に示すように、発射制御装置８４の後方に配置されている。この遊技制御装置２０と発射制御装置８４との間には、配線処理用の配線処理部材２９と電磁遮蔽用のプレート部材２１が前後に重なり合う状態で配置されている。
配線処理部材２９は略平板状に形成され、その裏面側には、配線を通すための溝部２９ａ，…や、遊技制御装置２０を止着するためのボス２９ｂ，…などが設けられている。この配線処理部材２９の裏面側には、該配線処理部材２９の裏面側を覆う状態でプレート部材２１が取り付けられ、これにより、配線処理部材２９の溝部２９ａ，…がプレート部材２１により閉塞されて、配線処理部材２９とプレート部材２１との間に配線挿通空間が形成されるようになっている。この配線挿通空間には、ターミナル基板８５からカードユニット用中継基板８７に延びる電源線８５ｂなどが挿通されている。
【００４３】
プレート部材２１は金属により形成され、図５及び図６に示すように、遊技制御装置２０の前面ほぼ全域を覆う矩形板状のプレート本体２２と、該プレート本体２２の賞球ボックス７０側の角部より対角線方向に延出して賞球ボックス７０の背部にまで至る延出壁部２３と、を備えて構成されている。つまり、プレート部材２１のプレート本体２２が遊技制御装置２０の前面を覆うことで、取付ベース部材１２１前面側の各排出路（入賞球排出路、アウト球排出路及び抜き球排出路）やフレームボード内の各流路（こぼれ球回収路１３９ｂ、ファール球回収路１３９ａ、下皿案内路１３９ｃ）より発生するノイズに対して遊技制御装置２０が電磁遮蔽され、一方、プレート部材２１の延出壁部２３が賞球ボックス７０の背面を覆うことで、賞球ボックス７０の誘導路７１より発生するノイズに対して遊技制御装置２０が電磁遮蔽されるようになっている。
なお、この実施の形態では、賞球ボックス７０の誘導路７１が設けられる部分の背面のみを延出壁部２３で覆うようにしたが、例えば、賞球ボックス７０の背面全域を延出壁部で覆うようにしてもよい。そうすることで、賞球ボックス７０の誘導路７１以外の箇所で発生するノイズに対しても、遊技制御装置２０が電磁遮蔽された状態となる。
また、プレート本体２２の縁部には、図２に示すように、遊技盤収納フレーム１３０より延びる導線９２の一端が接続され、これにより、プレート部材２１と遊技盤収納フレーム１３０とが相互に電気伝導可能な状態となっている。
なお、各導線９１、９２の中途部には、プレート部材２１、３１から遊技盤収納フレーム１３０に向かう一方向に、電荷の流れを規制する不可逆性伝達手段（図示省略）がそれぞれ設けられている。この不可逆性伝達手段は、例えば、整流用ダイオードを使って電荷の流れる方向を一方向に規制する回路等によって構成されている。
さらに、導線９１、９２の中途部には、該導線９１、９２を流れる電流の変化を緩やかにする整流手段（図示省略）がそれぞれ設けられている。この整流手段は、例えば、並列に接続したコンデンサと抵抗を含む回路等によって構成されている。
【００４４】
賞球ボックス７０は、遊技盤収納フレーム１３０の下方に隣接配置された状態で、図７に示すように、前面枠１１１の裏面に止着されている。この賞球ボックス７０は導電性樹脂で成形されたケーシング７０ａを備え、このケーシング７０ａの内部には、取付ベース部材１２１前面側の各排出路（入賞球排出路、アウト球排出路及び抜き球排出路）から送られてきた球（入賞球、アウト球、抜き球）を受け入れて遊技機外部に排出する排出路７４（図６）が設けられると共に、流下装置６０のオーバーフロー流路６５やフレームボードの各流路（こぼれ球回収路１３９ｂ、ファール球回収路１３９ａ、下皿案内路１３９ｃ）から送られてきた球を各流入口７３ａ、７３ｂ（図７）より受け入れて下皿１０７に誘導する誘導路７１が設けられている。この誘導路７１は、図７に示すように、下皿球出口１０６に向けて下り傾斜する底面（床面）７１ａを有し、その傾斜下端が下皿１０７の傾斜受入部１０７ｂと上下に重なる位置まで延びている。この誘導路７１には、その底面７１ａを被覆する状態で、導電性樹脂で成形されたカバー部材７２が着脱自在に取り付けられ、このカバー部材７２によって、誘導路７１の底面７１ａが保護されるようになっている。即ち、このカバー部材７２によって、底面７１ａの摩耗或いは破損が防止されると共に、球の衝突に伴うノイズの発生が抑止されるようになっている。
また、このケーシング７０ａには、図２及び図７に示すように、遊技盤収納フレーム１３０から延びる導線９３の一端が接続され、これによって、ケーシング７０ａと遊技盤収納フレーム１３０とが相互に電気伝導可能な状態となっている。
【００４５】
以上のように、この実施の形態のパチンコ遊技機１００によれば、遊技制御装置２０（第１制御装置）と排出制御装置３０（第２制御装置）の前面側に、各々の前面を覆う金属製のプレート部材２１、３１をそれぞれ配置したので、遊技制御装置２０や排出制御装置３０にノイズの影響が及び難くなっている。
そして、プレート部材２１に、プレート本体２２の縁部より延出して賞球ボックス７０の背部にまで至る延出壁部２３を設けたので、この延出壁部２３によって、賞球ボックス７０から発生するノイズに対して遊技制御装置２０が電磁遮蔽された状態となっている。従って、賞球ボックス７０で発生するノイズの影響で遊技制御装置２０に誤作動が生じることを防止できる。
また、プレート部材３１に、流下装置６０の遊技制御装置２０側の壁面を覆う起立壁部３３を設けたので、この起立壁部３３によって、流下装置６０から発生するノイズに対して遊技制御装置２０が電磁遮蔽された状態となっている。従って、流下装置６０から発生するノイズの影響で排出制御装置３０や遊技制御装置２０に誤作動が生じることを防止できる。
さらに、プレート部材２１、３１の各々が、導線９１、９２を介して金属製の遊技盤収納フレーム１３０（遊技盤収納部材）と相互に接続されているので、プレート部材２１、３１に帯電した静電気を、遊技盤収納フレーム１３０を介して放電することが可能となる。即ち、上記静電気の放電面積（静電気を放電可能な部位の表面積）が増加することとなって、上記静電気を放電し易くなる。従って、上記静電気が原因で遊技制御装置２０や排出制御装置３０に誤作動が生じることを防止できる。
また、遊技盤収納フレーム１３０に対する各導線９１、９２の接続ポイントが、遊技盤収納フレーム１３０の左右両側に分かれているので、遊技盤収納フレーム１３０内で電荷の偏りが生じ難くなり、遊技盤収納フレーム１３０の静電気を効率良く放電することができる。
【００４６】
また、導出樋４１、球抜き装置４２、排出装置５０、流下装置６０及び賞球ボックス７０の各々の装置に備わる球流路の壁面の少なくとも一部が、それぞれ導電性を有する部材（樋本体４１ａ、ケーシング４２ａ、内側ケース部材、ケーシング５２ａ、樋基板６１、蓋部材６２、ケーシング７０ａ）によって構成され、それら部材の各々が、相互に電気伝導可能な状態で接続されると共に、導線９３、９４、９５を介して、遊技盤収納フレーム１３０と電気伝導可能な状態で接続される構成としたので、上記各装置の球流路や該球流路を流れる球に帯電した静電気を、遊技盤収納フレーム１３０を介して放電することが可能となる。従って、上記静電気が原因で、当該パチンコ遊技機１００の裏面側全域に亘って配置される各制御装置（遊技制御装置２０、排出制御装置３０、表示制御装置８１、装飾制御装置８２、音制御装置８３、発射制御装置８４）等に誤作動が生じることを防止できる。
【００４７】
しかも、この実施の形態のパチンコ遊技機１００では、遊技盤収納フレーム１３０が島設備側のグランドに接地された状態となっているので、遊技盤収納フレーム１３０と電気伝導可能な状態で接続される各プレート部材２１、３１や、球の流路となる壁面の少なくとも一部を構成する各部材４１ａ、４２ａ、５２ａ、６１、６２、７０ａ等の静電気を確実に除去することができる。従って、それら静電気が原因で遊技機裏面側の各制御装置２０、３０、８１、８２、８３、８４や各センサ等に誤作動が生じることを可及的になくすことができる。
【００４８】
また、導線９１、９２の各々に不可逆性伝達手段を設けたので、各導線９１、９２を流れる電荷の向きを一方向に規制することができる。従って、導線９１、９２を経由して遊技盤収納フレーム１３０からプレート部材２１、３１の各々に静電気が伝搬されることを防止できる。
さらに、導線９１、９２の各々に整流手段を設けたので、各導線９１、９２に流れる電流の変化を緩やかにすることができる。従って、導線９１、９２に流れる電流の変化によって該導線や該導線に隣接する回路等に誘起される起電力を減少させることができ、これによって、各導線９１、９２や該導線に隣接する回路等から発生するノイズを減少させることができる。また、例えば、各導線９１、９２が受信アンテナとして機能し、その長さに対応する周波数の電磁波（ノイズ）を受信したとしても、その電磁波の影響を減衰させることができる。
【００４９】
また、排出装置５０のケーシング５２ａ（導電性壁部材）と流下装置６０の蓋部材６２（導電性壁部材）との当接部分より延びる導線９４を、プレート部材３１から延びる導線９１と同じ接続ポイントで、遊技盤収納フレーム１３０と接続するようにしたので、各導線９４、９１と遊技盤収納フレーム１３０との接続が容易となる。
【００５０】
なお、本発明はこの実施の形態のパチンコ遊技機１００に限られるものではなく、例えば、その他のパチンコ遊技機、アレンジボール遊技機、雀球遊技機などの弾球遊技機等にも適用可能である。
また、この実施の形態では、第１制御装置として遊技制御装置２０、第２制御装置として排出制御装置３０をそれぞれ例示したが、これ以外の制御装置８１、８２、８３、８４或いは電源装置８０等によって第１制御装置及び第２制御装置を構成することも可能である。
また、遊技盤収納フレーム１３０に対する各導線９０、９１、９２、９３、９４、９５の接続ポイントは一例であって適宜に変更可能である。
また、各プレート部材２１、３１の形状或いは取付位置は一例であって適宜に変更可能である。例えば、各プレート部材２１、３１を網状或いはメッシュ状のプレート部材とすることも可能である。
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５１】
【発明の効果】
請求項１記載の発明によれば、遊技制御装置や排出制御装置にノイズの影響が及び難くなる。従って、静電気や電磁波等のノイズが原因で遊技及び排出制御装置に誤作動が生じることを防止できる。
また、遊技盤収納部材内で電荷の偏りが生じ難くなり、遊技盤収納部材の静電気を効率良く放電することができる。
また、導線を経由して遊技盤収納部材からプレート部材に静電気が伝搬されることを防止できる。
請求項２記載の発明によれば、排出装置と流下装置の球流路や該球流路を流れる球に帯電した静電気が原因で、排出装置や流下装置の近傍に配置される各制御装置等に誤作動が生じることを防止できる。また、賞球ボックス等で発生するノイズの影響で遊技制御装置に誤作動が生じることを極力防止できる。
また、流下装置から発生するノイズの影響で排出制御装置や遊技制御装置に誤作動が生じることを極力防止できる。
【図面の簡単な説明】
【図１】本発明に係る遊技機の一形態として例示するパチンコ遊技機を示す正面図である。
【図２】図１のパチンコ遊技機の背面図である。
【図３】図１のパチンコ遊技機に備わる前面枠、遊技盤収納フレーム及び裏機構盤を示す分解斜視図である。
【図４】図２の裏機構盤の分解斜視図である。
【図５】図２の裏機構盤の分解斜視図である。
【図６】図２の排出制御装置と遊技制御装置周辺の拡大図である。
【図７】図６の矢印Ｂ−Ｂ線に沿った断面図である。
【図８】図６の矢印Ａ方向から見た図である。
【図９】図３の遊技盤収納フレームの要部を拡大した図である。
【符号の説明】
１        遊技盤
２０      遊技制御装置（第１制御装置）
２１      プレート部材
２２      プレート本体
２３      延出壁部
３０      排出制御装置（第２制御装置）
３１      プレート部材
３２      プレート本体
３３      起立壁部
３３ａ    切欠部
５０      排出装置
５２ａ    ケーシング（導電性壁部材）
６０      流下装置
６２      蓋部材（導電性壁部材）
６４      上皿案内路
６５      オーバーフロー流路
７０      賞球ボックス
７１      誘導路
９０、９１、９２、９３、９４、９５  導線
１００    パチンコ遊技機（遊技機）
１０５    上皿
１０７    下皿
１１０    本体枠
１１１    前面枠
１２０    裏機構盤
１２１    取付ベース部材
１３０    遊技盤収納フレーム（遊技盤収納部材）
【図１】
0004004742.tif 000002
【図２】
0004004742.tif 000003
【図３】
0004004742.tif 000004
【図４】
0004004742.tif 000005
【図５】
0004004742.tif 000006
【図６】
0004004742.tif 000007
【図７】
0004004742.tif 000008
【図８】
0004004742.tif 000009
【図９】
0004004742.tif 000010